(57)【要約】【課題】価格を抑えることができるとともに、装着作業が容易であり、装着状態の安定性も高く、更に使用しない場合の保管スペースも少なくてすむ集音器を提供すること。【解決手段】耳介を挿入可能な挿入孔３を有する係止壁２と、該係止壁２の周縁部に連設した、耳介の周辺において、耳介の後方側、耳介の上下側、及び頭の側方側を覆い、頭の正面側を解放とした反射壁５と、を具備したことを特徴といており、係止壁２及び反射壁５をシリコン製とし、前記反射壁５は、外側に向けて略球面状に湾曲させ、前方から来た音を反射壁内に集めて、この集めた音を反射壁で反射させた後に外耳道に入れることを可能としているため、耳介に装着することのみで、オーケストラや合唱団等によるコンサート、大規模会場での講演会等における音や講演者の声を確実に捕らえることが可能である。【選択図】図１
0003152986.tif 000002
【実用新案登録請求の範囲】
【請求項１】
耳介を挿入可能な挿入孔（３）を有する係止壁（２）と、
該係止壁（２）の周縁部に連設した、耳介の周辺において、耳介の後方側、耳介の上下側、及び頭の側方側を覆い、頭の正面側を解放とした反射壁（５）と、を具備したことを特徴とする集音器。
【請求項２】
前記係止壁（２）及び反射壁（５）がシリコン製であることを特徴とする請求項１に記載の集音器。
【請求項３】
前記反射壁（５）は、外側に向けて略球面状に湾曲していることを特徴とする請求項１又は請求項２に記載の集音器。
【考案の詳細な説明】
【技術分野】
【０００１】
本考案は集音器に係り、より詳しくは、面倒な動作をすることなく、容易に聴取能力を向上することを可能とした集音器に関する。
【背景技術】
【０００２】
周知のごとく人は、音や人の声を聞き取ろうとする場合には、手を碗状にし、この碗状の手で、耳介の後方側、耳介の上下側、及び頭の側方側を覆う所作を行うことが往々にしてある。
【０００３】
しかしながら、このような動作によっても小さい音等を正確に聞くことは難しく、また、例えば、オーケストラや合唱団等によるコンサートや、大規模会場での講演会等においては、碗状にした手を耳にかざし続けることは面倒である。
【０００４】
その一方、電子回路を搭載した補聴器等では価格が高くなってしまうため、聴取能力が低下した場合のように止むを得ない場合以外は使用しにくい、という問題点がある。
【０００５】
この点、過去においては、電子回路等を搭載することのない耳掛け式の集音器も提案されており、これによれば、価格を抑えることができるので気軽に使用できるという効果がある。
【先行技術文献】
【特許文献】
【０００６】
【特許文献１】特開２００６−１５７７５４号公報
【特許文献２】特開２００５−２７５３２９号公報
【特許文献３】特開２００２−３３３８８９号公報
【特許文献４】特開２００２−１５３５０１号公報
【特許文献５】特開２００１−２９９８０３号公報
【特許文献６】特開２０００−３５８３００号公報
【特許文献７】特開平１１−２０５８８２号公報
【特許文献８】実開平６−１９４００号公報
【特許文献９】実用新案登録第３１１８９３４号公報
【特許文献１０】実用新案登録第３１０２６４８号公報
【考案の概要】
【考案が解決しようとする課題】
【０００７】
しかしながら、従来の集音器は、耳に単に引っ掛けることで装着する形態や、両耳に装着する一対の集音器をヘッドバンド等で連結する形態であるため、装着作業が煩雑になるという問題点や、装着状態の安定性に欠けるという問題点が指摘できる。
【０００８】
即ち、耳に単に引っ掛ける形態の集音器では、頭を急に激しく動かした場合等には耳から外れてしまうという問題点が考えられる。
【０００９】
また、一対の集音器をヘッドバンド等で連結した形態の集音器では、装着が面倒であるとともに、使用しない場合の保管スペースも必要となるという問題点がある。
【００１０】
そこで、本考案は、価格を抑えることができるとともに、装着作業が容易であり、装着状態の安定性も高く、更に使用しない場合の保管スペースも少なくて済む集音器を提供することを課題としている。
【課題を解決するための手段】
【００１１】
本考案の集音器は、
耳介を挿入可能な挿入孔を有する係止壁と、
該係止壁の周縁部に連設した、耳介の周辺において、耳介の後方側、耳介の上下側、及び頭の側方側を覆い、頭の正面側を解放とした反射壁と、を具備したことを特徴としている。
【考案の効果】
【００１２】
本考案の集音器では、耳介の周辺において、耳介の後方側、耳介の上下側、及び頭の側方側を覆い、頭の正面側を解放とした反射壁を有しており、これにより、前方から来た音をこの反射壁内に一旦集めて、この集めた音を反射壁で反射させた後に外耳道に入れることが可能である。
【００１３】
そのために、価格を抑えることが可能であるとともに、耳介に装着することのみで、オーケストラや合唱団等によるコンサート、大規模会場での講演会等における音や講演者の声を確実に捕らえることが可能である。
【００１４】
また、本考案の集音器ではこのとき、係止壁には、耳介を挿入可能な挿入孔を有しているため、挿入孔から耳介を挿入して、反射壁に囲まれた空間内に耳介を入れることのみで耳介に装着することができるので、装着作業が容易であるとともに、装着状態の安定性を高めることも可能である。
【００１５】
更に、一対の集音器をヘッドバンド等で連結した形態の集音器と異なり、使用しない場合の保管スペースも少なくて済むという効果がある。
【図面の簡単な説明】
【００１６】
【図１】本考案の集音器の実施例の斜視図である。
【図２】本考案の集音器の実施例の正面図である。
【図３】本考案の集音器の実施例の平面図である。
【図４】本考案の集音器の実施例の側面図である。
【図５】本考案の集音器の実施例の使用方法を説明するための図である。
【考案を実施するための形態】
【００１７】
本考案の集音器では、係止壁を有しており、この係止壁は、耳介を挿入するための挿入孔を有している。
【００１８】
また、本考案の集音器は反射壁を有しており、この反射壁は、係止壁の周縁部に連設されている。
【００１９】
そして、この反射壁は、耳介の周辺において、耳介の後方側と、耳介の上下側と、頭の側方側を覆い、頭の正面側を解放可能としている。
【００２０】
ここで、前記係止壁及び反射壁はシリコン製にするとよく、これにより、肌が触れた場合にも違和感を無くすることができる。
【００２１】
また、前記反射壁は、外側に向けて略球面状に湾曲させるとよく、これにより、集めた音等を有効に反射させて外耳道に入れることができる。
【実施例１】
【００２２】
本考案の集音器の実施例について図面を参照して説明すると、図１は本実施例の集音器の斜視図であり、図において１が本実施例の集音器である。また、図２は本実施例の集音器の正面図、図３は本実施例の集音器の平面図、図４は本実施例の集音器の側面図である。
【００２３】
そして、本実施例の集音器１では、人の耳介に係止するための係止壁を有している。即ち、図において２が係止壁であり、本実施例において前記係止壁２は、人の頭における耳介の周辺部に当接可能な平坦な形状としている。
【００２４】
また、本実施例において前記係止壁２には、耳介を挿入するための挿入孔を有している。即ち、図において３が挿入孔であり、本実施例において前記係止孔３は、耳介を通過させた後に耳介の根元部分に係止可能な形状としている。そのため、この挿入孔４に耳介を通過させることで、係止壁２は耳介に係止されることとなる。
【００２５】
そして、この係止壁２の周縁部には、係止壁２を耳介に係止した際に頭と反対側になる側へ向けて、反射壁５が連設されている。
【００２６】
ここで、前記反射壁５について説明すると、本実施例において前記反射壁５は、耳介の周辺において、耳の後方側を覆う後方壁５０１を有しており、この後方壁５０１の上下の端部には、耳介の周辺において耳の上下側をそれぞれ覆う上方壁５０２及び下方壁５０３が連設されている。
【００２７】
また、前記後方壁５０１、上方壁５０２及び下方壁５０３における頭の反対側になる端部は、側方壁５０４により連通されており、この側方壁５０４によって、耳介の周辺において、頭の側方側を覆っている。
【００２８】
そしてこれにより、本実施例における前記反射壁５は、耳介の周辺において、耳介の後方側、上下側、及び頭の側方側を覆い、頭の正面側を解放可能としている。そのため、この構成によって、使用者の前方からくる音を反射壁５で囲まれる空間に集音するとともにそれを反射させて外耳道へ導くことが可能となる。
【００２９】
なお、本実施例において前記反射壁５は、図１乃至図４からも明らかなように、全体として略球面状に湾曲させており、碗状体を半分に切断し、凸部分が頭と反対側になるように、かつ、開口した部分の一方が頭の正面側に向き、他方が頭側に向くようにして、係止壁２に連設した形態としている。
【００３０】
また、実施例の集音器１は、その全体をシリコン製としており、係止壁２及び反射壁５を一体に成形している。そのために、耳介に係止して装着した際に人が違和感を覚えることを少なくすることができる。但し、必ずしもシリコンにより一体成形する必要はない。
【００３１】
次に、このように構成される本実施例の集音器の作用について説明すると、図５は、本実施例の集音器１を人の耳に装着した状態を正面から示した一部断面図であり、図において６が人の頭部の一部であり、７が人の耳介、及び８が外耳道である。そして、図に示すように、本実施例の集音器１を人の耳に装着する場合には、耳介７が反射壁５で囲まれた内部空間５０５内に位置するように、耳介７を挿入孔３から反射壁５の内部空間５０５に入れていき、それにより、耳介７の根元部分に本実施例の集音器１を係止する。
【００３２】
そうすると、耳介７が反射壁５で囲まれた内部空間５０５内に位置するとともに、外耳道８が反射壁５の内部空間５０５内で開口となる。
【００３３】
そのため、この状態で使用者の前方側から音が来ると、この音は反射壁５の内部空間５０５内に集音される。
【００３４】
次に、この反射壁５の内部空間５０５に集音された音は、反射壁５を構成する後方壁５０１、上方壁５０２、下方壁５０３、側方壁５０４に反射した後に、外耳道８の中に導かれていく。
【００３５】
このように、本実施例の集音器１では、耳介に係止するのみで、耳介の周辺において、耳介の後方側、上下側、及び頭の側方側を覆う反射壁５によって前方からの音や声を集音することができる。即ち、本来は外耳道へ導くことが出来ないはずの、耳介の周辺に伝わってきた音をも捉えて外耳道へ導くことができる。そのために、オーケストラや合唱団等によるコンサートや、大規模会場での講演会等においても、耳に装着することのみで、音等を確実に捉えることが可能である。
【００３６】
またそのとき、本実施例の集音器では、係止壁に耳介を挿入可能な挿入孔を有し、挿入孔から耳介を挿入して、反射壁に囲まれた空間内に耳介を入れることのみで耳介に装着することができるので、装着作業が容易であるとともに、装着状態の安定性を高めることも可能である。
【００３７】
更に、一対の集音器をヘッドバンド等で連結した形態の集音器と異なり、使用しない場合の保管スペースも少なくて済む。
【産業上の利用可能性】
【００３８】
本考案の集音器では、特に前方からの音、声等を確実に集音することができるとともに装着が容易であり、装着状態の安定性を得ることもできるため、電気を用いない集音器の全般に適用可能である。
【符号の説明】
【００３９】
１    集音器
２    係止壁
３    挿入孔
４    挿入孔
５    反射壁
５０１    後方壁
５０２    上方壁
５０３    下方壁
５０４    側方壁
５０５    反射壁の内部空間
６    頭部
７    耳介
８    外耳道
【図１】
0003152986.tif 000003
【図２】
0003152986.tif 000004
【図３】
0003152986.tif 000005
【図４】
0003152986.tif 000006
【図５】
0003152986.tif 000007